(57)【要約】【課題】入口孔又は出口孔を高い気密性をもって閉塞できる上に、装置の簡略化を図り得る換気装置を提供すること。【解決手段】換気装置１は、矩形状の入口孔２及び出口孔３を有する通路４を内部に有した枠体５と、通路開放位置に向かって常時付勢されると共に、通路４を通る空気流に基づいて通路４を閉鎖するように枠体５内に回転自在に配された羽根６と、羽根６を出口孔３に向かって移動させることにより当該出口孔３を閉塞する閉塞機構８と、羽根６に装着されていると共に羽根６の回転に抗する抵抗力を当該羽根６に付与する粘性ダンパ９とを具備している。【選択図】図１
2008014587.tif 000002
【特許請求の範囲】
【請求項１】
入口孔及び出口孔を有する通路を内部に有した枠体と、通路開放位置に向かって常時付勢されると共に、通路を通る空気流に基づいて通路を閉鎖するように枠体内に回転自在に配された羽根と、この羽根を入口孔又は出口孔に向かって移動させることにより当該入口孔又は出口孔を閉塞する閉塞機構とを具備しており、羽根は、枠体に回転自在に支持された軸部と、この軸部から径方向に向かって一体的に伸びた一対の羽根本体部とを具備しており、羽根本体部の先端部は、通路を通過する空気流により通路閉塞位置に向かう回転モーメントを羽根に生じさせるように湾曲しており、閉塞機構は、羽根を入口孔又は出口孔に向かって移動させる移動機構と、移動機構による羽根の入口孔又は出口孔に向かう移動において、入口孔又は出口孔側の羽根本体部の先端部が当該入口孔又は出口孔よりも前方側又は後方側に位置するように羽根を強制的に回転させる強制回転手段とを具備しており、強制回転手段は、枠体に形成された突起と、羽根に取り付けられており、入口孔又は出口孔側の羽根本体部の先端部が当該入口孔又は出口孔よりも前方側又は後方側に位置するように突起に滑接する滑接部材とを具備しており、移動機構による羽根の入口孔又は出口孔に向かう移動における滑接部材の突起に対する滑接により、入口孔又は出口孔側の羽根本体部の先端部が当該入口孔又は出口孔よりも前方側又は後方側に位置するように羽根を強制的に回転させるようになっている換気装置。
【請求項２】
移動機構は、回転力が与えられることにより回転される回転部材と、一方で枠体に回転自在に支持されていると共に他方で羽根の軸部に回転自在に連結されており、羽根に入口孔又は出口孔を閉塞させるべく一方側の回転軸心を中心とする回転により当該羽根を入口孔又は出口孔に向かって移動させる回転自在部材と、回転部材の回転を回転自在部材に伝達すべく、一方で回転部材に回転自在に連結されていると共に他方で回転自在部材に回転自在に連結されている伝達部材とを具備している請求項１に記載の換気装置。
【請求項３】
羽根が入口孔又は出口孔を閉塞した状態を維持すべく、回転部材と伝達部材との所定量以上の相互の回転を阻止するように回転部材又は伝達部材に固着された阻止片を更に具備している請求項２に記載の換気装置。
【請求項４】
阻止片は、羽根を入口孔又は出口孔に向かって移動させる際の回転部材の回転方向に関して、伝達部材の回転部材に対する回転軸心が回転部材の一方側の回転軸心と伝達部材の回転自在部材に対する回転軸心とを結ぶ線を超えて当該線よりも一方側に位置した場合に、伝達部材又は回転部材に当接するようになっている請求項３に記載の換気装置。
【請求項５】
羽根に設けられた重錘を具備している付勢手段を更に具備しており、羽根は、重錘の自重により通路開放位置に向かって回転するように常時付勢されるようになっている請求項１から４のいずれか一項に記載の換気装置。
【請求項６】
通路開放位置に向かって常時付勢されるべく、羽根が通路開放位置にある際に一対の羽根本体部のうちの軸部よりも下方に位置する羽根本体部側の重量は、羽根が通路開放位置にある際に一対の羽根本体部のうちの軸部よりも上方に位置する羽根本体部側の重量よりも重くなっている請求項１から５のいずれか一項に記載の換気装置。
【請求項７】
羽根に装着されていると共に羽根の回転に抗する抵抗力を当該羽根に付与する抵抗力付与手段を更に具備している請求項１から６のいずれか一項に記載の換気装置。
【発明の詳細な説明】
【技術分野】
【０００１】
本発明は、事務所ビル、集合住宅、戸建住宅、倉庫等の建物の室内と室外との通気のために、これらの窓サッシの無目部又は膳板部等に取り付けて通気の程度を制御する換気装置に関する。
【背景技術】
【０００２】
【特許文献１】特開２００３−２１３８５号公報
【０００３】
例えば特許文献１においては、入口孔及び出口孔を有する通路を内部に有した枠体内に回転自在に配されていると共に、通路を通る空気流に基づく回転により通路を開閉する羽根と、出口孔を開閉する開閉自在蓋とを具備している換気装置が提案されている。
【発明の開示】
【発明が解決しようとする課題】
【０００４】
ところで、斯かる換気装置では、羽根とは別体の開閉自在蓋を具備しているために、装置の簡略化を図り難い。また、斯かる換気装置では、入口孔又は出口孔を高い気密性をもって閉塞できると好ましい。
【０００５】
本発明は、前記諸点に鑑みてなされたものであり、その目的とするところは、入口孔又は出口孔を高い気密性をもって閉塞できる上に、装置の簡略化を図り得る換気装置を提供することにある。
【課題を解決するための手段】
【０００６】
本発明の換気装置は、入口孔及び出口孔を有する通路を内部に有した枠体と、通路開放位置に向かって常時付勢されると共に、通路を通る空気流に基づいて通路を閉鎖するように枠体内に回転自在に配された羽根と、この羽根を入口孔又は出口孔に向かって移動させることにより当該入口孔又は出口孔を閉塞する閉塞機構とを具備しており、羽根は、枠体に回転自在に支持された軸部と、この軸部から径方向に向かって一体的に伸びた一対の羽根本体部とを具備しており、羽根本体部の先端部は、通路を通過する空気流により通路閉塞位置に向かう回転モーメントを羽根に生じさせるように湾曲しており、閉塞機構は、羽根を入口孔又は出口孔に向かって移動させる移動機構と、移動機構による羽根の入口孔又は出口孔に向かう移動において、入口孔又は出口孔側の羽根本体部の先端部が当該入口孔又は出口孔よりも前方側又は後方側に位置するように羽根を強制的に回転させる強制回転手段とを具備しており、強制回転手段は、枠体に形成された突起と、羽根に取り付けられており、入口孔又は出口孔側の羽根本体部の先端部が当該入口孔又は出口孔よりも前方側又は後方側に位置するように突起に滑接する滑接部材とを具備しており、移動機構による羽根の入口孔又は出口孔に向かう移動における滑接部材の突起に対する滑接により、入口孔又は出口孔側の羽根本体部の先端部が当該入口孔又は出口孔よりも前方側又は後方側に位置するように羽根を強制的に回転させるようになっている。
【０００７】
本発明の換気装置によれば、特に、移動機構による羽根の入口孔又は出口孔に向かう移動において、入口孔又は出口孔側の羽根本体部の先端部が当該入口孔又は出口孔よりも前方側又は後方側に位置するように羽根を強制的に回転させる上述の強制回転手段を具備しているために、通路を通る空気流に基づく回転で通路を開閉させる羽根により当該空気流の定風量制御を行い得、当該羽根を用いて入口孔又は出口孔を高い気密性をもって強制的に閉塞することができる上に、装置の簡略化を図り得る。
【０００８】
本発明の換気装置の好ましい例では、移動機構は、回転力が与えられることにより回転される回転部材と、一方で枠体に回転自在に支持されていると共に他方で羽根の軸部に回転自在に連結されており、羽根に入口孔又は出口孔を閉塞させるべく一方側の回転軸心を中心とする回転により当該羽根を入口孔又は出口孔に向かって移動させる回転自在部材と、回転部材の回転を回転自在部材に伝達すべく、一方で回転部材に回転自在に連結されていると共に他方で回転自在部材に回転自在に連結されている伝達部材とを具備している。
【０００９】
本発明の換気装置の好ましい例では、羽根が入口孔又は出口孔を閉塞した状態を維持すべく、回転部材と伝達部材との所定量以上の相互の回転を阻止するように回転部材又は伝達部材に固着された阻止片を更に具備している。
【００１０】
本発明の換気装置の好ましい例では、阻止片は、羽根を入口孔又は出口孔に向かって移動させる際の回転部材の回転方向に関して、伝達部材の回転部材に対する回転軸心が回転部材の一方側の回転軸心と伝達部材の回転自在部材に対する回転軸心とを結ぶ線を超えて当該線よりも一方側に位置した場合に、伝達部材又は回転部材に当接するようになっている。上述のような阻止片によれば、羽根による入口孔又は出口孔の閉塞状態を解除自在に確実に維持することができる。
【００１１】
本発明の換気装置の好ましい例では、羽根に設けられた重錘を具備している付勢手段を更に具備しており、羽根は、重錘の自重により通路開放位置に向かって回転するように常時付勢されるようになっている。このような好ましい例によれば、羽根による空気流の定風量制御をより好適に行い得る。
【００１２】
本発明の換気装置の好ましい例では、通路開放位置に向かって常時付勢されるべく、羽根が通路開放位置にある際に一対の羽根本体部のうちの軸部よりも下方に位置する羽根本体部側の重量は、羽根が通路開放位置にある際に一対の羽根本体部のうちの軸部よりも上方に位置する羽根本体部側の重量よりも重くなっている。
【００１３】
本発明の換気装置の好ましい例では、羽根に装着されていると共に羽根の回転に抗する抵抗力を当該羽根に付与する抵抗力付与手段を更に具備している。このような好ましい例によれば、羽根に急速回転を生じさせず、また、ハレーションやギャロッピングを防止できて、羽根による定風量制御をより好適に行い得る。
【発明の効果】
【００１４】
本発明によれば、入口孔又は出口孔を高い気密性をもって閉塞できる上に、装置の簡略化を図り得る換気装置を提供し得る。
【発明を実施するための最良の形態】
【００１５】
次に、本発明の実施の形態の例を、図に示す例に基づいて更に詳細に説明する。尚、本発明はこれら例に何等限定されないのである。
【実施例】
【００１６】
図１から図６において、建物壁に設置される本例の換気装置１は、矩形状の入口孔２及び出口孔３を有する通路４を内部に有した枠体５と、図２の（ｂ）に示す通路開放位置に向かって常時付勢されると共に、通路４を通る空気流に基づいて通路４を閉鎖するように枠体５内に回転自在に配された羽根６と、羽根６を入口孔２又は出口孔３、本例では出口孔３に向かって移動させることにより当該出口孔３を閉塞する閉塞機構８と、羽根６に装着されていると共に羽根６の回転に抗する抵抗力を当該羽根６に付与する抵抗力付与手段としての粘性ダンパ９と、羽根６に設けられた重錘５１を具備している付勢手段７とを具備している。
【００１７】
例えば図２の（ｂ）に示すように、入口孔２は下方に、出口孔３は上方に夫々配されており、入口孔２は建物の外部において開口しており、出口孔３は建物の内部で開口している。出口孔３の開口縁には出口孔３の閉塞の際に羽根６に当接する弾性シール材１１が設けられている。枠体５には、出口孔３側において防塵網、防鳥網等が取り付けられてもよい。入口孔２から導入された空気は、通路４を通って出口孔３から導出される。
【００１８】
枠体５は、前後方向Ｙにおいて互いに対向していると共に、互いに協働して入口孔２及び出口孔３を画成している前方フレーム２１及び後方フレーム２２と、前方フレーム２１及び後方フレーム２２の軸方向Ｘにおける両端に固着された板状の側壁板２３及び２４とを具備している。軸方向Ｘは、前後方向Ｙに対して直交している。通路４は本例では鉛直方向に伸びており、羽根６は、図２の（ｂ）に示す通路開放状態において略鉛直方向に伸びて配され、図３の（ｂ）に示す通路閉塞位置において略水平方向に伸びて配される。
【００１９】
羽根６は、側壁板２３及び２４に回転自在に支持された軸方向Ｘに伸びた軸部３１と、軸部３１から径方向に向かって一体的に伸びた一対の羽根本体部３２及び３３とを具備しており、羽根本体部３２及び３３の先端部３４及び３５は、通路４を通過する空気流により通路開放位置から通路閉塞位置に向かう回転モーメント、即ちＢ方向の回転モーメントを羽根６に生じさせるように湾曲している。
【００２０】
先端部３４及びその近傍での羽根本体部３２の一方の面４１は、図２の（ｂ）において後方フレーム２２に向かって凸面となるように湾曲しており、その他方の面４２は図２の（ｂ）において前方フレーム２１に向かって凹面となるように湾曲している。先端部３５及びその近傍での羽根本体部３３の一方の面４３は、図２の（ｂ）において後方フレーム２２に向かって凸面となるように湾曲しており、その他方の面４４は、図２の（ｂ）において前方フレーム２１に向かって凹面となるように湾曲している。斯かる先端部３４及び３５並びにその近傍での羽根本体部３２及び３３の湾曲形状は、羽根６による通路４の開放状態で通路４に入口孔２から出口孔３に向かう空気流が生じる際に、羽根本体部３２には後方フレーム２２に向かう揚力を、羽根本体部３３には前方フレーム２１に向かう揚力を夫々生じさせ、この揚力に基づく回転モーメントで羽根６を図３の（ｂ）に示す通路閉塞位置に向かわせるように、即ちＢ方向に回転させることになる。
【００２１】
羽根６では、通路４に入口孔２から出口孔３に向かう空気流の大きさに対応してそのＡ及びＢ方向の回転位置が決定される。羽根６は、通路４に入口孔２から出口孔３に向かう大きな空気流により付勢手段７の重錘５１の自重によるＡ方向の回転力に抗してＢ方向に羽根６が回転されると、図３の（ｂ）に示すように通路４を閉塞する一方、斯かる大きな空気流が通路４に流れなくなると、重錘５１の自重によりＡ方向に回転されて、その空気流の大きさに対応した回転位置において例えば図２の（ｂ）に示すように通路４を開放するようになっている。このような空気流に基づく羽根６の回転により、入口孔２から出口孔３に向かって通路４を流れる空気流の定風流制御を行い得る。
【００２２】
付勢手段７は、軸部３１の一端に後述の滑接部材７２を介して固着されていると共に、自重により羽根６に通路開放位置に向かうＡ方向の回転力を与える重錘５１を具備している。羽根６は、重錘５１の自重により通路閉塞位置から通路開放位置に向かって回転されるように、即ちＡ方向に回転されるように常時付勢されている。重錘５１は、滑接部材７２に固定連結された軸５２に装着されている。軸５２は、軸方向Ｘに直交する方向に伸びている。
【００２３】
重錘５１は、羽根６のＡ及びＢ方向の回転に基づいて軸部３１の周りで回動されるようになっている。図３の（ａ）に示すように重錘５１が略水平方向において軸部３１と並んで配される際に羽根６に与えるＡ方向の回転力は大きく、図２の（ａ）に示すように重錘５１が略鉛直方向において軸部３１の下方に配される際に羽根６に与えるＡ方向の回転力は小さく、重錘５１が鉛直方向において軸部３１と並んで配された位置から水平方向において当該軸部３１と並んで配される位置に向かって漸次回動されると、前記Ａ方向の回転力は当該回動に伴って漸次増大する。
【００２４】
付勢手段７は、重錘５１の軸５２に対する装着位置をその軸５２の長手方向において変更することにより、羽根６に生じる通路開放位置に向かうＡ方向の回転力を所望に調整し得るようになっている。付勢手段７は、重錘５１を滑接部材７２から離反させて軸５２に装着することにより羽根６に生じる通路開放位置に向かうＡ方向の回転力を増大させ、また、重錘５１を滑接部材７２に接近させて軸５２に装着することにより羽根６に生じる通路開放位置に向かうＡ方向の回転力を減少させることができるようになっている。また、重錘５１の数を増減させることによっても、羽根６に生じる通路開放位置に向かうＡ方向の回転力を調整することができる。
【００２５】
閉塞機構８は、羽根６を出口孔３に向かって移動させる移動機構５５と、移動機構５５による羽根６の出口孔３に向かう移動において、出口孔３側の羽根本体部３３の先端部３５が当該出口孔３よりも前方側又は後方側、本例では前方側に位置するように羽根６を強制的に回転させる強制回転手段５６とを具備している。
【００２６】
移動機構５５は、後述のハンドル６９の操作による回転力が与えられることにより回転される回転部材としての回転アーム６１及び６１ａと、一方、本例では一端６２で枠体５に夫々回転自在に支持されていると共に他方、本例では他端６３で羽根６の軸部３１に夫々回転自在に連結されており、羽根６に出口孔３を閉塞させるべく一端６２を中心とするＲ１方向の回転により当該羽根６を出口孔３に向かって移動させる回転自在部材としての回転自在アーム６４及び６４ａと、回転アーム６１及び６１ａの回転を回転自在アーム６４及び６４ａに伝達すべく、回転アーム６１及び６１ａを回転自在アーム６４及び６４ａに連結している伝達部材としての伝達アーム６５及び６５ａと、回転自在アーム６４及び６４ａの他端６３の移動方向と平行に伸びて側壁板２３及び２４の夫々に形成されていると共に羽根６の軸部３１が挿通されており、回転自在アーム６４及び６４ａの回転による軸部３１の移動を夫々案内する案内溝６８及び６８ａと、回転アーム６１ａに取り付けられていると共に操作により回転アーム６１ａを回転させるハンドル６９と、両端で回転アーム６１及び６１ａに固着されている軸方向Ｘに伸びた回転軸７０とを具備している。回転アーム６１ａの回転は、回転軸７０を介して回転アーム６１に伝達される。
【００２７】
閉塞機構８は、上述の構成に加えて、回転自在アーム６４及び６４ａの回転により羽根６が出口孔３を閉塞した状態を維持すべく、回転アーム６１及び６１ａと伝達アーム６５及び６５ａとの所定量以上の相互の回転を阻止するように回転アーム６１及び６１ａ又は伝達アーム６５及び６５ａ、本例では伝達アーム６５及び６５ａに固着された阻止片６７及び６７ａを具備している。
【００２８】
回転アーム６１、回転自在アーム６４、伝達アーム６５、阻止片６７及び案内溝６８は、回転アーム６１ａ、回転自在アーム６４ａ、伝達アーム６５ａ、阻止片６７ａ及び案内溝６８ａと夫々同様に形成されているので、以下、回転アーム６１、回転自在アーム６４、伝達アーム６５、阻止片６７及び案内溝６８について詳細に説明し、回転アーム６１ａ、回転自在アーム６４ａ、伝達アーム６５ａ、阻止片６７ａ及び案内溝６８ａについては図に符号ａを適宜付してこれらの詳細な説明を省略する。
【００２９】
回転アーム６１は、その一端（一方）でハンドル６９に連結されており、その他端（他方）で伝達アーム６５に連結されている。回転アーム６１は、ハンドル６９の操作により当該回転アーム６１の一端（一方）側の回転軸心を中心としてＲ３及びＲ４方向に回転されるようになっている。伝達アーム６５は、その一端（一方）で回転アーム６１に回転自在に連結されており、その他端（他方）で回転自在アーム６４に回転自在に連結されている。回転自在アーム６４は、回転アーム６１よりも長く、そして、回転アーム６１よりも上方に配されている。回転アーム６１及び伝達アーム６５は、回転アーム６１のＲ３方向の回転により図２の（ａ）及び（ｂ）に示す状態から図４の（ａ）及び（ｂ）に示す状態を経て図５の（ａ）及び（ｂ）に示すように伸長する一方、回転アーム６１のＲ４方向の回転により図５の（ａ）及び（ｂ）に示す状態から図４の（ａ）及び（ｂ）に示す状態を経て図２の（ａ）及び（ｂ）に示すように折り畳まれるようになっており、回転自在アーム６４は、前記伸長によりＲ１方向に回転され、前記折り畳みによりＲ２方向に回転されるようになっている。
【００３０】
伝達アーム６５の一端に固着された阻止片６７は、Ｒ３方向に関して、伝達アーム６５の回転アーム６１に対する回転軸心が回転アーム６１の一端側の回転軸心と伝達アーム６５の回転自在アーム６４に対する回転軸心とを結ぶ線を超えて当該線よりも一方側、本例では前方側に位置した場合に、回転アーム６１及び伝達アーム６５が伸長された際に回転アーム６１の他端に当接して、回転アーム６１と伝達アーム６５との所定量以上の相互の回転を阻止するようになっている。阻止片６７は、羽根６から回転自在アーム６４に加えられるＲ２方向の回転力によっては、回転アーム６１をＲ３方向に回転させないように回転アーム６１の他端に当接する。伝達アーム６５の回転アーム６１に対する回転軸心が回転アーム６１の一端側の回転軸心と伝達アーム６５の回転自在アーム６４に対する回転軸心とを結ぶ線よりも前方側に位置した場合には、羽根６から回転自在アーム６４に加えられるＲ２方向の回転力によっては、回転アーム６１には、Ｒ３方向の回転力しか与えられないので、斯かるＲ３方向の回転力による回転アーム６１のＲ３方向の回転を阻止片６７により阻止することにより、回転自在アーム６４のＲ２方向の回転を阻止し、而して、羽根６による出口孔３の閉塞状態を維持することができる。また、ハンドル６９の操作による回転力によっては、回転アーム６１はＲ４方向に回転して阻止片６７から離反され、回転アーム６１及び伝達アーム６５は折り畳まれるので、回転自在アーム６４もまたＲ２方向に回転され、而して、羽根６による出口孔３の閉塞状態は解除される。
【００３１】
強制回転手段５６は、側壁板２３に形成された突起７１と、側壁板２３において羽根６の軸部３１に取り付けられており、出口孔３側の羽根本体部３３の先端部３５が当該出口孔３よりも前方側又は後方側、本例では前方側に配されるように突起７１に滑接する断面Ｌ字状の滑接部材７２とを具備しており、回転自在アーム６４の回転による羽根６の出口孔３に向かうＲ１方向の移動における滑接部材７２の突起７１に対する滑接により、Ｂ方向に関して羽根６の傾斜角を規制しながら羽根本体部３３の先端部３５が当該出口孔３よりも前方側に位置するように羽根６を強制的にＡ方向に回転させるようになっている。突起７１は、側壁板２３に固定された回転ローラ８１からなる。滑接部材７２は、回転ローラ８１に当接する当接縁８２を有している。
【００３２】
尚、本例では、回転アーム６１及び６１ａに回転力を与える手段としてハンドル６９を用いるが、これに代えて、例えば電動モータ（図示せず）を用いてもよい。また、閉塞機構８は、移動機構５５に代えて、例えば、案内溝６８及び６８ａと、羽根６の軸部３１に固着されたワイヤーロープ（図示せず）と、出口孔３側に配設されていると共に羽根６を出口孔３に向かって移動させるべくワイヤーロープを巻き取る巻き取り装置とからなる移動機構を具備していてもよい。
【００３３】
粘性ダンパ９は、側壁板２４側において羽根６の軸部３１に装着されており、羽根６のＡ及びＢ方向の回転に抗する粘性抵抗力を与えることにより、羽根６のＡ及びＢ方向の急速回転を阻止するようになっている。
【００３４】
粘性ダンパ９は、双方向ダンパであってもよく、また、羽根のＡ及びＢ方向のいずれか一の方向に抗する粘性抵抗力を生じる一方向ダンパであってもよい。
【００３５】
本例の換気装置１により空気流の定風量制御を行う場合には、ハンドル６９の手動操作により回転アーム６１及び６１ａをＲ４方向に回転させ、この回転により回転アーム６１及び６１ａ並びに伝達アーム６５及び６５ａを折り畳みながら回転自在アーム６４及び６４ａをＲ２方向に回転させ、この回転により出口孔３を閉塞している状態の羽根６を当該出口孔３から離反させ、羽根６が前方フレーム２１及び後方フレーム２２に接触しないよう軸部３１で枠体５に回転自在に支持される状態とする。このように羽根６を配置すると、入口孔２から導入される空気流の大きさの如何により図２の（ｂ）及び図３の（ｂ）に示すようにＡ及びＢ方向に回転され、これにより定風量制御を行う。斯かる羽根６のＡ及びＢ方向の回転に対しては、粘性ダンパ９による粘性抵抗力が与えられるために、当該羽根６にＡ及びＢ方向の急速回転は生じず、而して、前記定風量制御をより好適に行い得る。
【００３６】
本例の換気装置１により出口孔３を閉塞する場合には、ハンドル６９の手動操作により回転アーム６１及び６１ａをＲ３方向に回転させ、この回転により回転アーム６１及び６１ａ並びに伝達アーム６５及び６５ａを伸長させながら回転自在アーム６４及び６４ａをＲ１方向に回転させ、この回転により軸部３１を案内溝６８及び６８ａに案内させながら羽根６を出口孔３に向かって移動させる。当該移動中、軸部３１に固着された滑接部材７２は、突起７１に対して滑動しながら軸部３１を中心としたＡ方向の回転を生じる。これにより羽根６もまた滑接部材７２から与えられる回転力によりＡ方向に強制的に回転されて、先端部３５は出口孔３よりも前方側に配される。このように羽根６を出口孔３に向かって移動させ、当該出口孔３に当接させることにより出口孔３を閉塞する。羽根本体部３３の先端部３５は出口孔３よりも前方側に位置されるので、例えば羽根６が略鉛直方向に伸びた状態のまま出口孔３に向かって移動されて、先端部３５が出口孔３に引っ掛かるといった事態を生じさせることなく、当該羽根６により確実に出口孔３を閉塞することができる。羽根６が出口孔３を閉塞した際、伝達アーム６５の回転アーム６１に対する回転軸心が回転アーム６１の一端側の回転軸心と伝達アーム６５の回転自在アーム６４に対する回転軸心とを結ぶ線よりも前方側に位置すると共に、羽根６により出口孔３を閉塞した際、阻止片６７及び６７ａは回転アーム６１及び６１の他端に当接し、且つ、伝達アーム６５ａの回転アーム６１ａに対する回転軸心が回転アーム６１ａの一端側の回転軸心と伝達アーム６５ａの回転自在アーム６４ａに対する回転軸心とを結ぶ線よりも前方側に位置すると共に、羽根６により出口孔３を閉塞した際、阻止片６７及び６７ａは回転アーム６１及び６１ａの他端に当接して、空気流により羽根６を介して回転自在アーム６４及び６４ａに加えられるＲ２方向の回転力によっては回転アーム６１及び６１ａ並びに伝達アーム６５及び６５ａが折り畳まれない状態となる。
【００３７】
本例の換気装置１によれば、入口孔２及び出口孔３を有する通路４を内部に有した枠体５と、通路開放位置に向かって常時付勢されると共に、通路４を通る空気流に基づいて通路４を閉鎖するように枠体５内に回転自在に配された羽根６と、この羽根６を入口孔２又は出口孔３、本例では出口孔３に向かって移動させることにより当該出口孔３を閉塞する閉塞機構８とを具備しており、羽根６は、枠体５に回転自在に支持された軸部３１と、この軸部３１から径方向に向かって一体的に伸びた一対の羽根本体部３２及び３３とを具備しており、羽根本体部３２及び３３の先端部３４及び３５は、通路４を通過する空気流により通路閉塞位置に向かう回転モーメントを羽根６に生じさせるように湾曲しており、閉塞機構８は、本例では羽根６を出口孔３に向かって移動させる移動機構５５と、移動機構５５による羽根６の出口孔３に向かう移動において、出口孔３側の羽根本体部３３の先端部３５が当該出口孔３よりも前方側に位置するように羽根６を強制的に回転させる強制回転手段５６とを具備しており、強制回転手段５６は、枠体５に形成された突起７１と、羽根６に取り付けられており、出口孔３側の羽根本体部３３の先端部３５が当該出口孔３よりも前方側に位置するように突起７１に滑接する滑接部材７２とを具備しており、移動機構５５による羽根６の出口孔３に向かう移動における滑接部材７２の突起７１に対する滑接により、出口孔３側の羽根本体部３３の先端部３５が当該出口孔３よりも前方側に位置するように羽根６を強制的に回転させるようになっているために、通路４を通る空気流に基づく回転で通路４を開閉させる羽根６により当該空気流の定風量制御を行い得、当該羽根６を用いて出口孔３を高い気密性をもって強制的に閉塞することができる上に、装置の簡略化を図り得る。
【００３８】
換気装置１によれば、移動機構５５は、回転力が与えられることにより回転される回転アーム６１及び６１ａと、一端６２が枠体５に回転自在に支持されていると共に他端６３が羽根６の軸部３１に回転自在に連結されており、羽根６に出口孔３を閉塞させるべく一端６２を中心とする回転により当該羽根６を出口孔３に向かって移動（回転移動）させる回転自在アーム６４及び６４ａと、回転アーム６１及び６１ａの回転を回転自在アーム６４及び６４ａに伝達すべく、一端で回転アーム６１及び６１ａに回転自在に連結されていると共に他端で回転自在アーム６４及び６４ａに回転自在に連結されている伝達アーム６５及び６５ａとを具備しており、閉塞機構８は、羽根６が出口孔３を閉塞した状態を維持すべく、回転アーム６４及び６４ａと伝達アーム６５及び６５ａとの所定量以上の相互の回転を阻止するように回転アーム６１及び６１ａ又は伝達アーム６５及び６５ａに固着された阻止片６７及び６７ａを具備しており、阻止片６７及び６７ａは、Ｒ３方向に関して、伝達アーム６５及び６５ａの回転アーム６１及び６１ａに対する回転軸心が回転アーム６１及び６１ａの一端側の回転軸心と伝達アーム６５及び６５ａの回転自在６４及び６４ａに対する回転軸心とを結ぶ線を超えて当該線よりも前方側に位置した場合に、伝達アーム６５及び６５ａ又は回転アーム６１及び６１ａに当接するようになっているために、羽根６による出口孔３の閉塞状態を解除自在に確実に維持することができる。
【００３９】
換気装置１によれば、羽根６に設けられた重錘５１を具備している付勢手段７を更に具備しており、羽根６は、重錘５１の自重により通路開放位置に向かって回転するように常時付勢されるようになっているために、羽根６による空気流の定風量制御をより好適に行い得る。
【００４０】
換気装置１によれば、羽根６に装着されていると共に羽根６の回転に抗する抵抗力を当該羽根６に付与する抵抗力付与手段としての粘性ダンパ９を更に具備しているために、羽根６に急速回転を生じさせず、また、ハレーションやギャロッピングを防止できて、羽根６による定風量制御をより好適に行い得る。尚、換気装置１では、抵抗力付与手段として粘性抵抗力を羽根６に付与する粘性ダンパ９を具備しているが、これに代えて、例えば、羽根６の回転に抗する摩擦抵抗力を羽根６に付与する摩擦ダンパを具備していてもよく、これによってもギャロッピングを防止し得る。
【００４１】
尚、通路開放位置に向かって常時付勢されるべく、羽根６が通路開放位置にある際に一対の羽根本体部３２及び３３のうちの軸部３１よりも下方に位置する羽根本体部３２側の重量は、羽根６が通路開放位置にある際に一対の羽根本体部３２及び３３のうちの軸部３１よりも上方に位置する羽根本体部３３側の重量よりも重くなっていてもよい。羽根本体部３２側の重量を羽根本体部３３側の重量よりも重くする手段としては、例えば、羽根６の重心位置が当該羽根６の回転軸心よりも羽根本体部３２側となるように、羽根６の軸部３１を偏心させる手段、羽根本体部３２の重量が羽根本体部３３の重量よりも重くなるように羽根本体部３２の形状を変更させる手段や羽根本体部３２の内部に重錘を設ける手段がある。
【図面の簡単な説明】
【００４２】
【図１】本発明の実施の形態の例の前方からみた説明図である。
【図２】（ａ）は図１に示す例の一方側面からみた説明図、（ｂ）は当該（ａ）において主に側壁板を省略した説明図である。
【図３】（ａ）及び（ｂ）は図１に示す例の動作説明図である。
【図４】（ａ）及び（ｂ）は図１に示す例の動作説明図である。
【図５】（ａ）及び（ｂ）は図１に示す例の動作説明図である。
【図６】（ａ）は図１に示す例の他方側面からみた説明図、（ｂ）は当該（ａ）において主に側壁板を省略した説明図である。
【符号の説明】
【００４３】
１  換気装置
２  入口孔
３  出口孔
４  通路
５  枠体
６  羽根
７  付勢手段
８  閉塞機構
９  粘性ダンパ
５５  移動機構
５６  強制回転手段
【図１】
2008014587.tif 000003
【図２】
2008014587.tif 000004
【図３】
2008014587.tif 000005
【図４】
2008014587.tif 000006
【図５】
2008014587.tif 000007
【図６】
2008014587.tif 000008